(57)【要約】【課題】ブラウザ共有が可能な通信端末装置において、通信相手先の通信端末装置との間で同一のデータを同期して表示し、通話を含む表示画像のリプレイを可能にする。【解決手段】通信端末装置は、制御部110と、記憶部160と、時計部170と、を備え、画面情報の共有を開始する操作を行った第１の通信端末装置から、共有する画面情報に関する被共有情報を受信し、受信した被共有情報に基づいて、画面情報を表示手段に表示して画面情報の共有を開始し、制御部は、時計部から取得した日時情報を参照し、受信した被共有情報にタイムスタンプを付与して記憶部に保存し、画面情報を共有している間に前記第１の通信端末装置から画面に対して行った操作情報を受信した場合、時計部から取得した日時情報を参照し、当該操作情報にタイムスタンプを付与して記憶部に保存し、制御部は、画面情報の共有が終了した後リプレイ操作時にはタイムスタンプに従って保存情報に基づき画面を再生する。【選択図】図２
2013201593.tif 000002
【特許請求の範囲】
【請求項１】
通信相手先との間で画面情報の共有を行う通信端末装置であって、
前記通信端末装置は、制御部と、記憶部と、時計部と、を備え、
前記画面情報を表示手段に表示してから通信相手先と前記画面情報の共有を開始する操作を行った第１の通信端末装置から、共有する前記画面情報に関する被共有情報を受信し、受信した被共有情報に基づいて、前記画面情報を表示手段に表示して前記画面情報の共有を開始し、
前記制御部は、時計部から取得した日時情報を参照し、前記受信した被共有情報にタイムスタンプを付与して前記記憶部に保存し、前記画面情報を共有している間に前記第１の通信端末装置から前記画面に対して行った操作情報を受信した場合、時計部から取得した日時情報を参照し、当該操作情報にタイムスタンプを付与して前記記憶部に保存し、
前記制御部は、前記画面情報の共有が終了した後、リプレイ操作があった場合、前記記憶部に保存した前記被共有情報と、操作情報とを、前記タイムスタンプに従って再生することを特徴とする通信端末装置。
【請求項２】
前記制御部は、前記画面情報の共有が開始されると、通話音声を前記記憶部に保存し、前記画面情報の共有が終了した後、リプレイ操作があった場合、前記記憶部に保存した前記通話音声を再生することを特徴とする請求項１に記載の通信端末装置。
【請求項３】
前記通話音声は、時計部から取得した日時情報を参照し、当該操作情報にタイムスタンプを付与して前記記憶部に保存されることを特徴とする請求項２に記載の通信端末装置。
【発明の詳細な説明】
【技術分野】
【０００１】
本発明は、ＩＰ電話網等に接続されて音声及び映像の送受信を行う通信端末装置に関し、特に、通信相手先の通信端末装置との間で同一のデータを表示し、また表示同期を行うことともに、通話を含む表示画像のリプレイができる通信端末装置に関するものである。
【背景技術】
【０００２】
近年、一般電話回線以外に、ＩＰ電話網やインターネット等の広域通信網に接続して、データ通信サービス等の様々なサービスを受けることが可能な電話装置が普及している。このような電話装置に対するサービスとして、テレビ電話サービスが実用化されている。テレビ電話サービスの利用者は、カメラ機能及び画像送信機能を備えたテレビ電話装置を通信回線に接続することにより、撮影された映像の送受信を行いながら音声通話を行うことが可能である。
【０００３】
また、音声通話中やテレビ電話中に通話相手先との間で、各通話者によって作成されたメモ帳共有、カメラ撮影以外から取得された画像共有、インターネットリソースのブラウザ共有等といった各種アプリケーション或いは各種データを共有する機能を備えたテレビ電話装置も提供されている。
【０００４】
例えば、下記特許文献１（特開２００４−２２８８０５号公報）に開示されたテレビ電話装置では、テレビ電話の通話中に会話に関連する特定の画像データ等を会話と同時進行でマルチタスクによってネットワーク等を介して取得し、その画像データを通話中の相手局に送信するように構成している。
【０００５】
また、例えば、下記特許文献２（特開２０１０−１５２７７２号公報）に開示された情報処理装置では、Ｗｅｂ画面共有・統合サーバの機能を備え、共有端末装置で共有される共有画面情報にイベント制御スクリプト、イベント送信スクリプト、イベント受信スクリプトを組み込み、これらスクリプトが組み込まれた共有画面（組み込み共有画面情報）を各々の共有端末装置に対して送信するように構成している。
【先行技術文献】
【特許文献】
【０００６】
【特許文献１】特開２００４−２２８８０５号公報
【特許文献２】特開２０１０−１５２７７２号公報
【発明の概要】
【発明が解決しようとする課題】
【０００７】
一般に、テレビ電話装置などの通信端末装置においては、録音機能が提供されているから、通話音声については、録音して保存できる。従って、ユーザは通話を録音しておけば、任意に保存した通話内容を再生し、再度内容を確認することができる。
【０００８】
また、ＩＰテレビ電話装置などの通信端末装置においては、画面に表示された画像の保存が可能であり、任意の時間、表示画像を録画、保存しておけば、ユーザは保存された録画データを再生して画像表示を再現することができる。しかしながら、従来の通信端末装置においては、通話音声と表示画像とを対応づけて保存し、再生（リプレイ）可能とするところまで考慮されていないのが一般的である。
【０００９】
通話音声と表示画像とを対応つけて保存し、再生（リプレイ）可能にしたとしても、上記特許文献１の発明のように、従来のテレビ電話装置におけるブラウザ共有機能においては、通話者同士が音声通話しながら、同一のコンテンツを閲覧することはできても、当該コンテンツにおける絶対位置を算出して指定することができない。また、一方のユーザの操作、例えば、画面のスクロール操作などにより、表示画像が変化するものであるから、通話音声と共有されたブラウザの画像とを保存し、再生（リプレイ）可能にするには困難が伴うという問題があった。
【００１０】
また、上記特許文献２の発明のように、各端末への共有画面を提供する情報処理装置としての統合用サーバを設けることは、大規模なシステムを構築する必要があるなどコスト高となり、テレビ電話装置のような家庭向け電気機器を使用している一般ユーザにとっては必ずしも使い勝手の良いサービスとはいえない。上記特許文献２の発明においても、通話音声と共有されたブラウザの画像とを保存し、再生（リプレイ）可能にするまでには至っていない。
【００１１】
本発明は、上記の問題点を解消することを課題とするものであり、ブラウザ共有が可能な通信端末装置において、通信相手先の通信端末装置との間で同一のデータを表示し、また表示同期を行うことともに、通話を含む表示画像のリプレイができる通信端末装置を提供することを目的とするものである。
【課題を解決するための手段】
【００１２】
前記課題を解決するために、本発明の通信端末装置は、通信相手先との間で画面情報の共有を行う通信端末装置であって、
前記通信端末装置は、制御部と、記憶部と、時計部と、を備え、
前記画面情報を表示手段に表示してから通信相手先と前記画面情報の共有を開始する操作を行った第１の通信端末装置から、共有する前記画面情報に関する被共有情報を受信し、受信した被共有情報に基づいて、前記画面情報を表示手段に表示して前記画面情報の共有を開始し、
前記制御部は、時計部から取得した日時情報を参照し、前記受信した被共有情報にタイムスタンプを付与して前記記憶部に保存し、前記画面情報を共有している間に前記第１の通信端末装置から前記画面に対して行った操作情報を受信した場合、時計部から取得した日時情報を参照し、当該操作情報にタイムスタンプを付与して前記記憶部に保存し、
前記制御部は、前記画面情報の共有が終了した後、リプレイ操作があった場合、前記記憶部に保存した前記被共有情報と、操作情報とを、前記タイムスタンプに従って再生することを特徴とする。
【００１３】
また、本発明の通信端末装置の一態様において、前記制御部は、前記画面情報の共有が開始されると、通話音声を前記記憶部に保存し、前記画面情報の共有が終了した後、リプレイ操作があった場合、前記記憶部に保存した前記通話音声を再生することを特徴とする。
【００１４】
また、本発明の通信端末装置の一態様において、前記通話音声は、時計部から取得した日時情報を参照し、当該操作情報にタイムスタンプを付与して前記記憶部に保存されることを特徴とする。
【発明の効果】
【００１５】
本発明は、以下に説明する優れた効果を発揮する。すなわち、本発明の通信端末装置は、画面情報の共有を開始にあたって、画面情報を表示手段に表示してから通信相手先と前記画面情報の共有を開始する操作を行った第１の通信端末装置から、共有する前記画面情
報に関する被共有情報を受信し、受信した被共有情報に基づいて、前記画面情報を表示手段に表示して前記画面情報の共有を開始し、時計部から取得した日時情報を参照し、前記受信した被共有情報にタイムスタンプを付与して前記記憶部に保存し、前記画面情報を共有している間に前記第１の通信端末装置から前記画面に対して行った操作情報を受信した場合、時計部から取得した日時情報を参照し、当該操作情報にタイムスタンプを付与して前記記憶部に保存するものである。これにより、通信端末装置は、画面情報の共有が終了した後、リプレイ操作があった場合、保存した被共有情報と、操作情報とを、タイムスタンプに従って再生することができる。また、画面情報そのものを保存するわけではないから、通常の録画のように大きな記憶容量を必要としない。
【００１６】
また、本発明の通信端末装置の一態様によれば、制御部は、前記画面情報の共有が開始されると、通話音声を前記記憶部に保存し、前記画面情報の共有が終了した後、リプレイ操作があった場合、前記記憶部に保存した前記通話音声を再生する。これにより、画面のリプレイとともに通話音声のリプレイも容易に行えるようになる。
【００１７】
また、本発明の通信端末装置の一態様によれば、通話音声は、時計部から取得した日時情報を参照し、当該操作情報にタイムスタンプを付与して前記記憶部に保存される。これにより、画面のリプレイと通話音声のリプレイとを同期させることができるようになる。
【図面の簡単な説明】
【００１８】
【図１】本発明の実施例に係るテレビ電話装置を含む電話システムの構成を示すブロック図である。
【図２】本発明の実施例に係るテレビ電話装置の構成を示す内部ブロック図である。
【図３】本発明の実施例に係るテレビ電話装置同士がブラウザ共有を行う制御を示したシーケンス図である。
【図４】受信側のテレビ電話装置に保存される被共有データの一例を示す図である。
【図５】受信側のテレビ電話装置における録画データのリプレイ時の制御を示したシーケンス図である。
【図６】本発明の実施例に係るブラウザ共有処理における送信側のテレビ電話装置１００の動作を示すフローチャートである。
【図７】本発明の実施例に係るブラウザ共有処理における受信側のテレビ電話装置１００’の動作を示すフローチャートである。
【図８】本発明の実施例に係るブラウザ共有処理における受信側のテレビ電話装置１００’のリプレイ動作を示すフローチャートである。
【発明を実施するための形態】
【００１９】
以下、本発明の具体例を実施例及び図面を用いて詳細に説明する。但し、以下に示す実施形態は、本発明の技術的思想を具体化するためのテレビ電話装置を例示するものであって、本発明をこのテレビ電話装置に特定することを意図するものではなく、特許請求の範囲に含まれるその他の実施形態の通信端末装置にも等しく適応し得るものである。
【実施例】
【００２０】
図１は、本発明の実施例に係るテレビ電話装置を含む電話システムの構成を示すブロック図である。本システムは少なくとも、テレビ電話装置１００、有線ＬＡＮ１０１、ＩＰ電話ルータ１０２、ブロードバンドルータ１０３、ゲートウェイ１０４、ＩＰ電話網１０５、インターネット１０６、ＰＳＴＮ網１０７（Public Switched Telephone Network：公衆電話交換網）、及び加入者電話装置１０８を含むように構成されている。
【００２１】
本発明のテレビ電話装置１００は有線ＬＡＮ１０１に接続され、有線ＬＡＮ１０１は、ＩＰ電話ルータ１０２を介してＩＰ通信網１０５に、ブロードバンドルータ１０３を介し
てインターネット１０６に、ゲートウェイ１０４を介してＰＳＴＮ網１０７にそれぞれ接続されることにより、通信可能である。なお、テレビ電話装置１００の内部構造の詳細については後述する。
【００２２】
有線ＬＡＮ１０１を構成する物理的な手段としては、例えばツイストペアケーブルを用いた１０ＢＡＳＥ−Ｔ（ＩＥＥＥ８０２．３ｉとして標準化）や１００ＢＡＳＥ−ＴＸ（ＩＥＥＥ８０２．３ｕとして標準化）等があげられる。
【００２３】
ＩＰ電話ルータ１０２、及びブロードバンドルータ１０３は、複数のＩＰネットワークを相互接続するためのネットワーク中継装置である。具体的には、ＯＳＩ（Open Systems
Interconnection）参照モデルでいうネットワーク層（第３層）やトランスポート層（第４層）の一部のプロトコルを解析して転送を行う。
【００２４】
本実施例では、ＩＰ電話ルータ１０２は有線ＬＡＮ１０１とＩＰ電話網１０５との二つのＩＰネットワークを相互に接続する役割を持つ。またブロードバンドルータ１０３は、有線ＬＡＮ１０１とインターネット１０６との二つのＩＰネットワークを相互に接続する役割を持つ。
【００２５】
ゲートウェイ１０４は、プロトコル体系が異なるネットワーク間を相互接続するためのプロトコル変換器である。ゲートウェイ１０４は、例えば、有線ＬＡＮ１０１とＰＳＴＮ網１０７とを接続し、ＳＩＰ等のシグナリングプロトコルを用いてシグナル変換を行うことにより、両ネットワーク間での通信を可能とする。
【００２６】
ＩＰ電話網１０５は、電話網の一部もしくは全てにＶｏＩＰ（Voice over Internet Protocol）技術を利用した通信網であり、用いる通信回線としてはＦＴＴＨ（Fiber To The
Home）やＡＤＳＬ（Asymmetric Digital Subscriber Line）等の、いわゆるブロードバンド回線が利用される。なお、ＩＰ電話網１０５にはテレビ電話装置１００’が複数接続されているが、図１では簡単のため１台のみしか図示していない。
【００２７】
なおＶｏＩＰとは、音声を各種符号化方式で圧縮してパケットに分割し、ＩＰネットワークでリアルタイム伝送する技術である。これによりＩＰ電話網１０５は音声通話サービスの他、画像の送受信を行うテレビ電話サービス等が提供可能となる。
【００２８】
インターネット１０６は、通信プロトコルによるネットワークを相互接続して構築された広域通信網である。大小様々なコンピュータネットワークを相互に連結させて、国際的な通信ネットワークが構築されている。通信プロトコルとしては主に、ＴＣＰ／ＩＰが標準的なプロトコルとして採用されている。
【００２９】
ＰＳＴＮ網１０７は、一般の加入者電話回線ネットワークである。末端に加入者電話装置１０８を接続し、回線交換方式で通信相手に接続して音声通話を行うのに用いられる。加入者電話装置１０８は、電話加入者がＰＳＴＮ網１０７を用いてＰＳＴＮ網に接続された他の加入者電話装置や有線ＬＡＮ１０１やＩＰ電話網１０５に接続されたテレビ電話装置と音声通話を行うための電話装置である。
【００３０】
次に、図２を参照して本実施例のテレビ電話装置１００について説明する。なお、図２は本発明の実施例に係るテレビ電話装置１００の構成を示す内部ブロック図である。テレビ電話装置１００は、制御部１１０、通信部１２０、音声処理部１３０、映像及び画像処理部１４０、操作部１５０、記録部１６０、時計部１７０、電源部１８０を備えて構成される。
【００３１】
本発明にかかるテレビ電話装置１００等は、後述するように、テレビ電話装置間でデータ共有の開始操作があり、且つ、一方のテレビ電話装置１００’（以下の説明においては受信側のテレビ電話装置）において、ユーザによりリプレイのための録画が設定された場合には、当該一方のテレビ電話装置１００’において、データ共有している間に通信端末間で送受信される音声通話データおよびデータ共有に関する被共有データにタイムスタンプを付与して保存し、後にユーザが保存したデータを再生することができるように構成される。
【００３２】
制御部１１０は、ＣＰＵ、ＲＡＭ、ＲＯＭを備えて構成されるマイクロプロセッサであり、ＲＡＭやＲＯＭに記憶された制御プログラムをＣＰＵにおいて実行することにより、以下に説明する各部の動作を制御・統括する。
【００３３】
通信部１２０は、テレビ電話装置１００が他のテレビ電話装置（図１では、テレビ電話装置１００’）と通信を行う際の通信制御を行うためのものである。これには、シグナリング、データ送受信、データ共有処理に関わる制御が含まれる。
【００３４】
シグナリングには通信セッションの生成、確立、切断の処理が含まれる。具体的には、ユーザが操作部１５０を操作して電話番号等を入力した際に、ＩＰ電話網１０５に接続されたＳＩＰサーバ（図示せず）等に接続して通話相手先のテレビ電話装置１００’の位置情報を入手するとともに、通話相手先のテレビ電話装置１００’を呼出し、通話相手先が応答した場合に通信経路を確立することと、通話が終了した際にセッション切断メッセージ等を送信することによってセッションを終了することが含まれる。
【００３５】
データの送受信に関わる制御には、音声データ、映像データ、画像データをパケットに分割するＩＰパケット化とＩＰパケットの送信、有線ＬＡＮ１０１を介して受信したパケットを、正しい順序に並べ替えるとともに実際のデータ部分を抽出して組立てるＩＰパケットの受信及び組立てとが含まれる。
【００３６】
データをパケットとして送信する際には、所定データ長に分割された各データに送信元、宛先、順序、送信時刻、用途（ＩＰ電話の音声データ、映像データ、画像データ）を示すヘッダを付与する。また、受信したパケットは、ヘッダ部分を参照することによって、音声、映像、画像ごとに正しい順序で組立てられてゆき、音声処理部１３０、映像及び画像処理部１４０に出力される。
【００３７】
音声処理部１３０は、マイク１３１から入力された音声をＡ／Ｄ変換し、次いで音声コーデックによって圧縮し、圧縮されたデータを通信部１２０に出力する。また、通信部１２０において組立てられた音声データを音声コーデックによって伸張し、次いでＤ／Ａ変換してスピーカ１３２から出力する。
【００３８】
映像及び画像処理部１４０は、映像コーデックを備えており、カメラ１４１において撮影された映像を圧縮し、圧縮されたデータを通信部１２０に出力する。また、通信部１２０において組立てられた映像データを伸張する。また、映像及び画像処理部１４０は、画像コーデックを備えており、通信部１２０において組立てられた画像データを伸張し、制御部１１０のＲＡＭや記録部１６０を構成するメモリ１６１、或いはフラッシュメモリ１６２に展開する。
【００３９】
また、映像及び画像処理部１４０は表示制御機能を備えており、カメラ１４１から出力された映像データ及び制御部１１０のＲＡＭや記録部１６０を構成するメモリ１６１、或いはフラッシュメモリ１６２に展開された画像データを表示部１４２に表示可能な所定の態様に変換（拡大、縮小、画像を並べて配置する等）して表示部１４２のビデオメモリ（
図示せず）上に展開し、表示部１４２に表示させる。
【００４０】
マイク１３１において集音された音声は、音声信号に変換され、音声処理部１３０に出力される。また、音声処理部１３０から出力された音声信号はスピーカ１３２において音声に変換され出力される。マイク１３１とスピーカ１３２は、テレビ電話装置１００に固定的に設けられていてもよいが、ヘッドセットであってもよい。ヘッドセットであれば、手でマイク１３１を持たなくてよいので、利便性が高まる。
【００４１】
カメラ１４１は、テレビ電話装置１００の通話中にその前にある被写体を撮影するためのものである。通常、テレビ電話装置１００の正面にはユーザが位置することになるので、カメラ１４１においてはユーザが被写体として撮影される。撮影された映像は、映像及び画像処理部１４０に出力される。
【００４２】
表示部１４２は、液晶ディスプレイユニットであり、映像及び画像処理部１４０の表示制御機能によって表示部１４２のビデオメモリ上に展開された映像や画像を表示する。
【００４３】
操作部１５０は、表示部１４２に一体に形成されたタッチパネルの形をとる。ユーザは表示部１４２に表示された入力用のアイコンの部位に接触することで入力操作を行う。例えば、電話をかける場合に、操作部１５０に電話番号を入力するためのテンキーを表示し、ユーザはそのテンキーの該当する部分を指で押すことにより、番号を入力することができる。なお、操作部１５０は、上記に限られず、テレビ電話装置１００を構成する筐体の一部分に形成されたキーやボタンであってもよい。
【００４４】
記録部１６０は、テレビ電話装置１００に内蔵されたメモリ１６１、或いはフラッシュメモリ１６２のように接続／取外しが可能なメモリで構成される。記録部１６０は、画像データ、テキストデータ、ブラウザ情報等のデータを記憶している。これらのデータは、ユーザの指示があった場合に、被共有データとして、通信相手先のテレビ電話装置１００’或いは、インターネット１０６に接続されたサーバに送信される。また、通信相手先のテレビ電話装置１００’ から送信されてきた被共有データやインターネット１０６に接続されたサーバから取得した被共有データを保存する。
【００４５】
また、記録部１６０には、通信相手先のテレビ電話装置１００’或いは、インターネット１０６に接続されたサーバに送信する被共有データとして、画像データ、テキストデータ、ブラウザ情報等のデータに対し、共有開始操作により共有が開始された後、共有終了操作により共有が終了されるまでの間に、ユーザが操作部１５０を介して行った操作、例えば、ＵＲＬ情報に基づいて表示されたブラウザ情報であるＷＥＢコンテンツページに対して行われたスクロール等の操作情報を時系列に記憶する。
【００４６】
さらに、記録部１６０には、複数の通信相手先の電話番号、氏名、共有データの共有可否情報を関連付けたアドレス帳が記憶される。共有可否情報は、操作部１５０によってユーザが予め設定するものであってもよいし、「共有不可能」な通信相手先として登録されていても、一度共有を許可した場合には「共有可能」な通信相手先として設定が変更されるようにしてもよい。
【００４７】
ここで、データの共有とは、画像データ、メモ帳等のテキストデータ、ブラウザ等のアプリケーション情報といった画面情報および当該画面情報に基づいて表示された画面に対してユーザが行った操作情報（以下、被共有データという）を通話相手先のテレビ電話装置１００’に送信し、テレビ電話装置１００’において被共有データを受信し、受信した被共有データに基づいて画面情報を表示するとともに被共有データに含まれる操作情報に基づいて当該画面情報に対する操作を実行すること、或いは、通話相手先のテレビ電話装
置１００’から送信されてきた被共有データをテレビ電話装置１００において受信し、受信した被共有データに基づいて画面情報を表示するとともに被共有データに含まれる操作情報に基づいて当該画面情報に対する操作を実行することによって、ユーザが使用するテレビ電話装置１００においても通話相手先のテレビ電話装置１００’においても同様の画像データ、テキストデータ、アプリケーションを、同一の画面操作状態で表示部１４２において参照できる状態のことをいう。
【００４８】
さらに、データの共有には、テレビ電話装置１００と通話相手先のテレビ電話装置１００’の一対一の通信における被共有データの送受信に加えて、インターネット１０６に接続されたサーバを介して被共有データを送受信、或いは操作するようなものも含まれる。例えば、テレビ電話装置１００からインターネット１０６に接続されたサーバに被共有データを送信して被共有データを保存し、通話相手先のテレビ電話装置１００’から上述のサーバにアクセスすることによって被共有データを受信、或いは操作できるようにしてもよい。さらには、通話相手先のテレビ電話装置１００’から上述のサーバに送信された被共有データをこちらのテレビ電話装置１００からアクセスして受信或いは操作できるようにすることによって共有するようにしてもよい。
【００４９】
また、共有開始操作とは、テレビ電話装置１００の記憶部１６０にある被共有データ、或いは制御部のＲＡＭ等に一時的に記憶されている被共有データを通話相手先のテレビ電話装置１００’に送信する際に、通話相手先のテレビ電話装置１００’に対して被共有データの受信要求を送信することをいう。また、被共有データが通話相手先のテレビ電話装置１００’にあって、この被共有データをテレビ電話装置１００’に送信してほしい旨（送信要求）を通話相手先のテレビ電話装置１００’に対して送信することをいう。
【００５０】
さらに、共有開始操作には、インターネット１０６に接続されたサーバ（図示せず）を介してデータの共有を行う場合、テレビ電話装置１００にある被共有データをサーバに送信すると共に、通話相手先のテレビ電話装置１００’に対して被共有データの受信要求を送信することが含まれる。
【００５１】
また、共有開始操作には、被共有データが通話相手先のテレビ電話装置１００’にあって、この被共有データをインターネット１０６に接続されたサーバに送信するよう通話相手先のテレビ電話装置１００’に対して要求することも含まれる。
【００５２】
時計部１７０は、現在時刻を計時するための回路であり、例えば所定の周波数による発振出力を行う水晶振動子を用いて計時を行う。また時計部１７０は、時刻情報だけではなく、現在の月日や曜日といった暦に関連する暦情報の管理を行うことも可能である。時計部１７０により取得された日時情報は、後述する情報を保存する際にタイムスタンプとして用いられる。
【００５３】
電源部１８０は、ＡＣアダプタ１８１から所定の直流電圧を受けて、テレビ電話装置１００の各部構成要素に電源を供給する。
【００５４】
ユーザにより録音設定がなされている場合、制御部１１０は、その間にテレビ電話装置間で送受信される音声通話データを記録部１６０に記録する制御を行い、ユーザの録音再生操作（リプレイ操作）があった場合には、制御部１１０は記録部１６０から該当する音声通話データを読み出して再生する。また、ユーザにより表示画面（例えば、通信相手方のテレビ電話装置のカメラで撮影された画像の表示画面）の録画設定がなされている場合、制御部１１０は、その間に相手方テレビ電話装置から送信される画像データを記録部１６０に記録する制御を行い、ユーザの録画再生操作があった場合には、制御部１１０は、記録部１６０から該当する画像データを読み出して再生する。
【００５５】
制御部１１０によるデータの共有処理に関わる制御では、前述したように、共有操作により共有が開始された後、共有終了操作により共有が終了されるまでの間に、ユーザがテレビ電話装置１００の表示部１４２に表示させた画像データ、テキストデータ、ブラウザ情報等のデータをメモリやＷＥＢサーバから取得するために用いられるアドレス情報やＵＲＬ情報といった画面情報を被共有データとして記録部１６０に保存する。さらに、テレビ電話装置１００の表示部１４２に表示させた画像データ、テキストデータ、ブラウザ情報（ＷＥＢコンテンツページ）に対するスクロール操作などの操作情報を被共有データとして記録部１６０に保存する。
【００５６】
そして、共有開始操作として、ユーザの指示に基づいて通話相手先のテレビ電話装置１００’に共有要求を通知すること、つまり、被共有データを通話相手先のテレビ電話装置１００’に送信したいときにはテレビ電話装置１００’に対して被共有データの受信要求を送信し、被共有データを通話相手先のテレビ電話装置１００’から送信してもらいたいときにはテレビ電話装置１００’に対して被共有データの送信要求を送信する。
【００５７】
上述の受信要求に対して通話相手先のテレビ電話装置１００’から被共有データの共有許可を受信した際には、被共有データとして予め記録部１６０に保存されているＷＥＢコンテンツページのＵＲＬ情報といった画面情報および当該ＷＥＢコンテンツページに対するスクロール等の操作情報を記録部１６０から読み込んで通話相手先のテレビ電話装置１００’に送信する。
【００５８】
また、上述の送信要求に対して通話相手先のテレビ電話装置１００’から被共有データを受信した際には、或いは、テレビ電話装置１００から送信した上述の被共有データの共有許可に応じて通話相手先のテレビ電話装置１００’から送信されてきた被共有データをテレビ電話装置１００において受信した際には、受信した被共有データに含まれている画面情報であるＵＲＬ情報に基づき、表示部１４２上に起動させたブラウザにＵＲＬサイトのＷＥＢコンテンツページを表示させる。さらに、受信した被共有データに含まれている操作情報に基づき、表示部１４２に表示させたＷＥＢコンテンツページに対してスクロール操作を行い、ユーザが使用するテレビ電話装置１００においても通話相手先のテレビ電話装置１００’においても同様のＷＥＢコンテンツページを、スクロール操作後の画面位置の一致した状態で各表示部１４２において参照できる状態にする。
【００５９】
前述したように、本発明にかかるテレビ電話装置１００等は、テレビ電話装置間でデータ共有の開始操作があり、且つ、一方のテレビ電話装置１００’（以下の説明においては受信側のテレビ電話装置）において、ユーザによりリプレイのための録画が設定された場合には、当該一方のテレビ電話装置１００’において、データ共有している間に通信端末間で送受信される音声通話データおよびデータ共有に関する被共有データにタイムスタンプを付与して保存し、後にユーザが保存したデータを再生することができるように構成されている。
【００６０】
すなわち、通信端末装置間で共有の開始操作があり、且つ、テレビ電話装置１００’において、ユーザによりリプレイのための録画が設定された場合には、当該一方の通信端末装置１００において、制御部１１０は、その間に通信端末間で送受信される音声通話データに時計部１７０の日時情報に基づいてタイムスタンプを付与して記録部１６０に記録する制御を行う。
【００６１】
また、その場合、制御部１１０は、共有操作により共有が開始された後、共有終了操作により共有が終了されるまでの間に、共有の相手方のテレビ電話装置１００から送信される被共有データ（操作情報）に時計部１７０の日時情報に基づいてタイムスタンプを付与
して記録部１６０に保存する。
【００６２】
共有の相手方のテレビ電話装置１００から送信される被共有データには、テレビ電話装置１００の表示部１４２に表示させた画像データ、テキストデータ、ブラウザ情報等のデータをメモリやＷＥＢサーバから取得するために用いられるアドレス情報やＵＲＬ情報、ブラウザ情報（ＷＥＢコンテンツページ）に対するスクロール操作などの操作情報が含まれる。ここでは、少なくともブラウザ情報等のデータをメモリやＷＥＢサーバから取得するために用いられるアドレス情報やＵＲＬ情報、ブラウザ情報（ＷＥＢコンテンツページ）に対するスクロール操作などの操作情報である。これらの被共有データの各々に、時計部１７０の日時情報に基づいてタイムスタンプを付与して記憶部１６０に保存する。
【００６３】
これにより、一方のテレビ電話装置１００’において、後にユーザが、共有時の保存データのリプレイを起動した場合に、共有操作により共有が開始された後、共有終了操作により共有が終了されるまでの間に表示された画像および音声通話データを再生することができる。この場合、音声通話データと、ブラウザ情報（ＷＥＢコンテンツページ）に対するスクロール操作などの操作情報とにタイムスタンプが付与されているから、タイムスタンプに基づいて音声データや共有しているブラウザ情報を同時に再生すれば、通話音声と表示画像とを同期させリプレイすることができる。また、共有したブラウザ画面の情報は、表示された画像の情報としてではなく、ＵＲＬとその操作情報を用いて保存されるため、録画データをコンパクトに保存することができ、記憶部１６０は大きな記憶容量を必要としない。
【００６４】
テレビ電話装置１００等においては、ユーザが共有時の通話音声および表示画面のリプレイを所望する際には、上記した保存操作を有効にする録画モードを設定し得るようにすることが好ましい。また、リプレイの対象を選択し得るように、録画モード設定の際には、ユーザに保存データの識別名称を入力させるようにすることが好ましい。ユーザが識別名称を設定しない場合には、共有相手方の電話番号や通話日時を自動設定するように構成してもよい。この設定は、後述する通信セッションの確立のステップにおいて行うように構成することが好ましい。
【００６５】
以下、図３〜図５を参照して、本実施例のテレビ電話装置１００、１００’におけるブラウザ共有処理および録画、リプレイ処理にについて詳細を説明する。なお、図３は、本発明の実施例に係るテレビ電話装置同士がブラウザ共有を行う制御を示したシーケンス図、図４は、受信側（録画する側）のテレビ電話装置に保存される被共有データの一例を示す図、図５は、受信側（録画する側）のテレビ電話装置における録画データのリプレイ時の制御を示したシーケンス図である。以下の説明は、テレビ電話装置１００（図３、端末Ａ）において共有開始操作がなされ、テレビ電話装置１００’（図３、端末Ｂ）との間で共有が開始される場合であって、且つ、テレビ電話装置１００’においてユーザが録画の設定を行った場合の処理を説明するものである。
【００６６】
ステップＳ３０１（図３を参照）において、ユーザがテレビ電話装置（端末Ａ）１００の操作部１５０を操作してＩＰ電話網１０５に接続された通話相手先のテレビ電話装置（端末Ｂ）１００’の電話番号を入力する。或いは、ユーザは操作部１５０を操作して記録部１６０に記憶されたアドレス帳を呼出して通話相手先を選択する。すると、通信部１２０は、入力された電話番号、或いは選択された通話相手先の情報に基づいて通話相手先を探し、通話相手先のテレビ電話装置１００’を呼出し、ステップＳ３０２において、通話相手が応答したならば通信セッションが確立され、通話が開始される。通話の開始は、ユーザ側のテレビ電話装置１００から行ってもよいし、反対に、通話相手先のテレビ電話装置１００’がユーザ側のテレビ電話装置１００を呼出し、ユーザがその呼出しに応答することで通信セッションが確立され、通話が開始されるようにしてもよい。
【００６７】
ステップＳ３０３において、テレビ電話装置１００と通話相手先のテレビ電話装置１００’との間で音声、映像の送受信が行われる。具体的には、マイク１３１から入力された音声は音声処理部１３０においてＡ／Ｄ変換されてから音声コーデックによって圧縮される。カメラ１４１において撮影された映像は、映像及び画像処理部１４０が備えた表示制御機能によって表示部１４２に表示されるとともに、映像及び画像処理部１４０が備えた映像コーデックによって圧縮される。さらに圧縮された音声データ及び映像データはそれぞれ通信部１２０においてＩＰパケットに分割され、有線ＬＡＮ１０１に送信され、送信された音声データ及び映像データは、通話相手先のテレビ電話装置１００’において再生、表示される。
【００６８】
一方、通話相手先のテレビ電話装置１００’からＩＰパケットとして送信されてきた音声データ及び映像データをユーザ側のテレビ電話装置１００において受信すると、通信部１２０はそれぞれＩＰパケットを音声データ、映像データ等種類毎に分け、それぞれ分割されたパケットから実際のデータ部分を抽出し、順番に組立てる。次いで、音声データは音声処理部１３０の音声コーデックにおいて伸張され、次いでＤ／Ａ変換されてスピーカ１３２に出力され、音声として出力される。また、映像データは映像及び画像処理部１４０が備える映像コーデックによって伸張され、表示制御機能によって表示部１４２にて表示可能な態様に編集されて表示部１４２に表示される。
【００６９】
ここまでのシーケンスは、通常のＩＰテレビ電話装置間の通話、画像表示と同様の手順である。
【００７０】
次に、ユーザがテレビ電話装置１００の表示部１４２上にＷＥＢブラウザを起動させ、操作部１５０を操作してＵＲＬを入力してインターネット１０６に接続されたＷＥＢサーバ（図示せず）に対してＷＥＢページのリクエストを行う。テレビ電話装置１００はＷＥＢサーバから所望のＷＥＢページのデータを取得し、表示部１４２上のブラウザにＷＥＢページを表示させる。入力されたＵＲＬの情報は、被共有データとして記憶部１６０に保存される。
【００７１】
このような通常のブラウザ動作が実行された後に、ステップＳ３０４において、ユーザの指示に基づいて共有開始操作が行われると、テレビ電話装置１００は、テレビ電話装置１００’に対して被共有データの受信要求を送信し、この受信要求に対して通話相手先のテレビ電話装置１００’から被共有データの共有許可を受信する。
【００７２】
そして、ステップＳ３０５において、テレビ電話装置１００は、記録部１６０に保存されているＷＥＢコンテンツページのＵＲＬ情報を記録部１６０からそれぞれ読み込んで通話相手先のテレビ電話装置１００’に送信する。通話相手先のテレビ電話装置１００’は、受信したＵＲＬ情報に基づき、表示部１４２上に起動させたブラウザにＵＲＬサイトのＷＥＢコンテンツページを表示させる。これにより、ブラウザの共有が開始される。
【００７３】
ブラウザの共有が開始された後、テレビ電話装置１００において、ユーザが表示部１４２上のブラウザに表示されたＷＥＢページに対して操作部１５０を操作してスクロール操作を行うと、通話相手先のテレビ電話装置１００’の表示部１４２上のブラウザに表示された同様のＷＥＢページに対しても同じスクロール操作が実行できるように操作情報Ａ〜Ｃ（例えば、スクロール移動方向やスクロール移動量、キーカーソルやマウスポインタの座標位置など）を記録部１６０に保存する。保存された操作情報は、ステップＳ３０６において、制御部１１０によって記憶部１６０から読み込まれ、テレビ電話装置１００’に被共有データとして送信される。
【００７４】
これにより、テレビ電話装置１００においても通話相手先のテレビ電話装置１００’においても同様のＷＥＢコンテンツページを、スクロール操作など各種操作を反映させた画面に一致させた状態で各々の表示部１４２に表示することができる。
【００７５】
一方、通話相手先（受信側）のテレビ電話装置１００’において、制御部１１０は、ステップＳ３０５においてテレビ電話装置１００から送信された被共有データ（ＵＲＬ情報）に時計部１７０の日時情報に基づいてタイムスタンプを付与して被共有データとして記録部１６０に保存する。更に、制御部１１０は、ステップＳ３０６においてテレビ電話装置１００から送信された被共有データ（操作情報）に時計部１７０の日時情報に基づいてタイムスタンプを付与して被共有データとして記録部１６０に保存する。
【００７６】
この処理は、ステップＳ３０７においてテレビ電話装置１００において共有終了操作が行われるまで継続され、ステップＳ３０７においてテレビ電話装置１００において共有終了操作が行われると、ステップＳ３０８において回線が切断され、通信セッションが終了する。
【００７７】
図４は、通話相手先（受信側）のテレビ電話装置１００’において、記録部１６０に保存される被共有データの一例を示している。この図の１〜７に示されるように、記録部１６０には、時計部１７０により得られた日時情報に基づくタイムスタンプが付与され、ＵＲＬ情報と、操作情報とが、時系列的に保存される。操作情報は、例えば、マウスの上下動の別とその操作位置座標（ＵＰ・ＤＯＷＮの別と座標ｘ，ｙ）が、あるいは、マウスの動きの有無とその操作位置（ＭＯＶＥと座標ｘ，ｙ）のように記録される。この間の音声通話の音声データは、同様に制御部１１０によりタイムスタンプを付与され、記憶部１６０に時系列的に保存される。
【００７８】
次に、通話相手先（受信側）のテレビ電話装置１００’において、記憶部１６０に保存された音声データおよび画面情報のリプレイ（再生）する際の処理について説明する。図５は、受信側のテレビ電話装置１００’における録画データのリプレイ時の制御を示したシーケンス図である。
【００７９】
図５に示すように、リプレイ処理は、通話相手先（受信側）のテレビ電話装置１００’における単独の処理である。ユーザによりリプレイが設定され、記憶部１６０に記録された保存情報か選択されると、該当する通話音声データと被共有データとが記憶部よ１６０から読み出され、データに付与されているタイムスタンプに基づいて時系列的に再生される。これによりリプレイが行われることになる。
【００８０】
次に、図６〜図８を参照して、本実施例のテレビ電話装置１００、１００’におけるブラウザ共有処理および録画、リプレイ処理にについて詳細を説明する。なお、図６は、本発明の実施例に係るブラウザ共有処理における送信側のテレビ電話装置１００の動作を示すフローチャート、図７は、本発明の実施例に係るブラウザ共有処理における受信側のテレビ電話装置１００’の動作を示すフローチャート、図８は、本発明の実施例に係るブラウザ共有処理における受信側のテレビ電話装置１００’のリプレイ動作を示すフローチャートである。
【００８１】
先ず、図６を参照して本発明の実施例に係る送信側のテレビ電話装置１００の動作を説明する。ステップＳ６０１において、制御部１１０はユーザが操作部１５０の操作に基づいて、ＷＥＢコンテンツページを表示させるために初期化されたブラウザを起動させ、ステップＳ６０２において、ユーザが操作部１５０を操作してＵＲＬを入力して操作を開始したか否かを判定する。
【００８２】
次いで、ステップＳ６０２において、制御部１１０はＵＲＬが入力され操作が開始されたと判定した場合、ステップＳ６０３の処理に進み、制御部１１０は通常のブラウザ動作を実行する。すなわち、入力されたＵＲＬ情報に基づいてインターネット１０６に接続されたＷＥＢサーバに対してＷＥＢページのリクエストを行い、ＷＥＢサーバから所望のＷＥＢページのデータを取得して表示部１４２上のブラウザにＷＥＢページを表示させる。また、このとき、制御部１１０は所望のＷＥＢページを表示させるために入力されたＵＲＬ情報を記録部１６０に保存する。
【００８３】
一方、ステップＳ６０４において、制御部１１０は新たなＵＲＬの入力がなされずにブラウザの操作が終了したか否かを判定する。操作終了であれば、ステップＳ６０２の処理に戻り、操作終了でなければ、ステップＳ６０５において、制御部１１０はユーザの指示に基づいて共有開始操作が行われたか否かを判定する。ステップＳ６０５において、制御部１１０が、共有開始操作が行われたと判定した場合、ステップＳ６０６の処理に進み、共有開始操作が行われなかったと判定した場合、ステップＳ６０３の処理に戻る。
【００８４】
そして、ステップＳ６０６において、制御部１１０はテレビ電話装置１００’に対して被共有データの受信要求を送信して共有セッション接続を試みる。ステップＳ６０７において、制御部１１０は共有セッション接続が成功したか否か判定する。この条件としては、送信した受信要求に対して通話相手先のテレビ電話装置１００’から被共有データの共有許可を受信した場合に共有セッション接続が成功したと判定する。共有セッション接続が失敗したと判定した場合、ステップＳ６１４の処理に進む。ステップＳ６１４において、制御部１１０は表示部１４２によって共有セッション接続の失敗を通知し、ステップＳ６０３の処理に戻る。
【００８５】
ステップＳ６０７において、制御部１１０は共有セッション接続が成功したと判定した場合、ステップＳ６０８の処理に進み、記録部１６０に保存されているＷＥＢコンテンツページのＵＲＬデータを記録部１６０から読み込んで通話相手先のテレビ電話装置１００’に送信する。
【００８６】
次に、制御部１１０は、ステップＳ６０９において、ユーザが表示部１４２上のブラウザに表示されたＷＥＢページに対して操作部１５０を操作してスクロール操作などの操作を開始したか否かを判定する。制御部１１０はスクロール操作が行われたと判定した場合、ステップＳ６１０において、通常のブラウザに対する操作を行い、ステップＳ６１０に進み、スクロール操作に対応する操作データを記録部１６０に保存し、ステップＳ６１１の処理において、記録部１６０に保存された操作データを読み込んで通話相手先のテレビ電話装置１００’に送信する。
【００８７】
ステップＳ６１２において、制御部１１０はブラウザの操作が終了したか否かを判定する。操作終了であれば、ステップＳ６０９の処理に戻り、操作終了でなければ、ステップＳ６１３の処理において、テレビ電話装置１００において共有終了操作が行われたか否かを判定する。ステップＳ６１３の処理において、共有終了操作が行われたと判定された場合はステップＳ６０３の処理に戻り、共有終了操作が行われなかったと判定された場合はステップＳ６０９の処理に戻る。なお、このフローチャートの動作は、通信セッションの終了により終了する。
【００８８】
次に、図７を参照して本発明の実施例に係る受信側のテレビ電話装置１００’の動作を説明する。先ず、ステップＳ７０１において、制御部１１０はユーザが操作部１５０の操作に基づいて、ＷＥＢコンテンツページを表示させるために初期化されたブラウザを起動させ、ステップＳ７０２において、ユーザが操作部１５０を操作してＵＲＬを入力し操作を開始したか否かを判定する。
【００８９】
次いで、ステップＳ７０２において、制御部１１０はＵＲＬが入力され操作が開始されたと判定した場合、ステップＳ７０３の処理に進み、制御部１１０は通常のブラウザ動作を実行する。すなわち、入力されたＵＲＬ情報に基づいてインターネット１０６に接続されたＷＥＢサーバに対してＷＥＢページのリクエストを行い、ＷＥＢサーバから所望のＷＥＢページのデータを取得して表示部１４２上のブラウザにＷＥＢページを表示させる。一方、ステップＳ７０２において、制御部１１０はＵＲＬが入力されず操作を開始しなかったと判定した場合、ステップＳ７０５の処理に進む。
【００９０】
通常のブラウザ動作を実行中のステップＳ７０３において、制御部１１０はブラウザの操作が終了したか否かを判定する。操作終了であれば、ステップＳ７０２の処理に戻り、操作終了でなければ、ステップＳ７０３の処理に戻る。
【００９１】
一方、ステップＳ７０５において、制御部１１０は通話相手先のテレビ電話装置１００から共有開始操作が行われたか否かを判定する。この条件としては、通話相手先のテレビ電話装置１００から被共有データの受信要求を受信した場合に共有開始操作が行われたと判定する。共有開始操作が行われたと判定した場合、通話相手先のテレビ電話装置１００に対して被共有データの共有許可を送信し、ステップＳ７０６の処理に進む。制御部１１０は共有開始操作が行われないと判定した場合、ステップＳ７０２の処理に戻る。
【００９２】
次いで、ステップＳ７０６において、制御部１１０は、時計部１７０の日時情報に基づき、タイムスタンプを付して通話音声の録音（記憶部１６０への保存）を開始する。そして、ステップＳ７０７の処理において、初期化されたブラウザが起動させ、ステップＳ７０８において、通話相手先のテレビ電話装置１００からＵＲＬデータを受信したか否かを判定する。制御部１１０はＵＲＬデータを受信したと判定した場合、ステップＳ７０９において、受信したＵＲＬデータに基づき、ブラウザにＵＲＬサイトのＷＥＢコンテンツページを読み込ませて表示部１４２に表示させ、ステップＳ７１０の処理において、制御部１１０は受信したＵＲＬの情報にタイムスタンプを付して記憶部１６０に保存する。そして処理はステップＳ７０８に戻る。
【００９３】
ステップＳ７０８の判定において、ＵＲＬデータの受信でないと判定された場合、ステップＳ７１１において、制御部１１０は通話相手先のテレビ電話装置１００から操作データを受信したか否かを判定する。制御部１１０は操作データ（例えばスクロール操作情報）を受信したと判定した場合、ステップＳ７１２において、受信した操作データに基づき、表示部１４２に表示させたＷＥＢコンテンツページに対してスクロール操作を行うことにより、ユーザがテレビ電話装置１００においてＷＥＢコンテンツページに対して行った画面操作を反映させる。そして、ステップＳ７１３の処理に進み、制御部１１０は時計部１７０の日時情報に基づき、受信した操作情報にタイムスタンプを付して記憶部１６０に保存する。そして処理はステップＳ７０８に戻る。
【００９４】
一方、ステップＳ７１１の判定において、操作データの受信でないと判定された場合、処理はステップＳ７１４に進み、通話相手先のテレビ電話装置１００において共有終了操作が行われたか否かを判定する。ステップＳ７１４の処理において、共有終了操作が行われたと判定された場合は、ステップＳ７１５の処理において、制御部１１０は、通話音声の録音（記憶部１６０への保存）を終了し、ステップＳ７０３の処理に戻る。
【００９５】
ステップＳ７１４の処理において、共有終了操作が行われたと判定された場合は、ステップＳ７０８の処理に戻る。なお、このフローチャートの動作は、通信セッションの終了により終了する。
【００９６】
次に、図８を参照して本発明の実施例に係る受信側のテレビ電話装置１００’におけるリプレイ動作を説明する。先ず、ステップＳ８０１において、制御部１１０はユーザが操作部１５０の操作に基づいて、記憶部１６０に保存されたリプレイ対象のデータを指定してリプレイ操作を開始したか否かを判定する。リプレイ操作開始でなければ、処理はステップＳ８０１に戻る。
【００９７】
リプレイ操作の開始であれば、ステップＳ８０２の処理に進み、制御部１１０はＷＥＢコンテンツページを表示させるために初期化されたブラウザを起動させ、ステップＳ８０３において、記憶部１６０に保存された該当する通話音声の再生（リプレイ）を開始する。
【００９８】
次いで、制御部１１０は、ステップＳ８０４の処理において、通話録音の再生終了か否かを判定する。再生終了であればステップＳ８０１の処理に戻り、再生終了でなければ、制御部１１０は、ステップＳ８０５の処理において、時計部１７０から取得した日時情報を参照し、経過時間が記憶部１６０に保存された該当する保存データに付されたタイムスタンプの時刻であるか否かを判定する。タイムスタンプの時刻でなければ処理はステップＳ８０４に戻る。
【００９９】
タイムスタンプの時刻であれば、ステップＳ８０６の処理において、制御部１１０は記憶部１６０に保存された該当する保存データのうち、タイムスタンプの時刻と一致するデータがＵＲＬデータか否かを判定する。ＵＲＬデータであれば、ステップＳ８０７の処理において、制御部１１０は、ＵＲＬデータに基づき、ブラウザにＵＲＬサイトのＷＥＢコンテンツページを読み込ませて表示部１４２に表示させ、ステップＳ８０４の処理に戻る。
【０１００】
一方、タイムスタンプの時刻と一致するデータがＵＲＬデータでなければ、ステップＳ８０８の処理に進み、制御部１１０は、イムスタンプの時刻と一致するデータが操作データか否かを判定する。操作データでなければ処理はステップＳ８０４に戻る。操作データであれば、ステップＳ８０９の処理に進み、制御部１１０は、操作データに基づき、表示部１４２に表示させたＷＥＢコンテンツページに対して当該操作、例えば、スクロール操作を行うことにより、ユーザがテレビ電話装置１００においてＷＥＢコンテンツページに対して行った画面操作を反映させて再生し、ステップＳ８０４の処理に戻る。このフローチャートの動作は、リプレイの終了操作または保存データの再生終了により終了する。
【０１０１】
以上、詳細に説明したように、本発明によれば、画面情報の共有を開始にあたって、画面情報を表示手段に表示してから通信相手先と前記画面情報の共有を開始する操作を行った第１の通信端末装置から、共有する前記画面情報に関する被共有情報を受信し、受信した被共有情報に基づいて、前記画面情報を表示手段に表示して前記画面情報の共有を開始し、時計部から取得した日時情報を参照し、前記受信した被共有情報にタイムスタンプを付与して前記記憶部に保存し、前記画面情報を共有している間に前記第１の通信端末装置から前記画面に対して行った操作情報を受信した場合、時計部から取得した日時情報を参照し、当該操作情報にタイムスタンプを付与して前記記憶部に保存する。これにより、通信端末装置は、画面情報の共有が終了した後、リプレイ操作があった場合、保存した被共有情報と、操作情報とを、タイムスタンプに従って再生することができる。また、画面情報そのものを保存するわけではないから、通常の録画のように大きな記憶容量を必要としない。
【０１０２】
また、本発明の通信端末装置によれば、制御部は、画面情報の共有が開始されると、通話音声を前記記憶部に保存するものであるから、画面情報の共有が終了した後、リプレイ操作があった場合、保存した前記通話音声を再生することができ、画面のリプレイととも
に通話音声のリプレイも容易に行える。
【０１０３】
また、本発明の通信端末装置によれば、通話音声は、時計部から取得した日時情報を参照し、当該操作情報にタイムスタンプを付与して前記記憶部に保存されるから、画面のリプレイと通話音声のリプレイとを同期させることができる。
【符号の説明】
【０１０４】
１００    テレビ電話装置
１０１    有線ＬＡＮ
１０２    ＩＰ電話ルータ
１０３    ブロードバンドルータ
１０４    ゲートウェイ
１０５    ＩＰ電話網
１０６    インターネット
１０７    ＰＳＴＮ網
１０８    加入者電話装置
１１０    制御部
１２０    通信部
１３０    音声処理部
１３１    マイク
１３２    スピーカ
１４０    映像及び画像処理部
１４１    カメラ
１４２    表示部
１５０    操作部
１６０    記録部
１６１    メモリ
１６２    フラッシュメモリ
１７０    時計部
１８０    電源部
１８１    ＡＣアダプタ
【図１】
2013201593.tif 000003
【図２】
2013201593.tif 000004
【図３】
2013201593.tif 000005
【図４】
2013201593.tif 000006
【図５】
2013201593.tif 000007
【図６】
2013201593.tif 000008
【図７】
2013201593.tif 000009
【図８】
2013201593.tif 000010